(57)【特許請求の範囲】
【請求項１】
ワイヤーコンベアを構成するための金属製線材製折曲線材であって、一仮想平面上において下向き縦方向の短尺縦辺、横方向の長尺横辺及び上向き縦方向の短尺縦辺から成る裾広がりの凹陥部を適宜数備え、両端に位置する前記凹陥部を形成する前記長尺横辺の端部は、前記仮想平面から１０〜４５度の範囲で湾折曲して立ち上げられており、前記立ち上げられた前記長尺横辺の端部に続く前記上向き縦方向の短尺縦辺の端部にフックを備えて成り、前記凹陥部が他の折曲線材の前記凹陥部に嵌め込まれることによって前記他の折曲線材と連結可能であるワイヤーコンベア構成用折曲線材。
【請求項２】
請求項１に記載のワイヤーコンベア構成用折曲線材を連結して構成したワイヤーコンベア。
【請求項３】
主ワイヤーコンベアの上側に配置されて前記主ワイヤーコンベア上の搬送物を押える補助ワイヤーコンベアである、請求項２に記載のワイヤーコンベア。
【発明の詳細な説明】
【技術分野】
【０００１】
本発明はワイヤーコンベア構成用折曲線材及びそれを用いて構成したワイヤーコンベアに関するものであり、より詳細には、各種食品や機械の生産ライン、加工ライン、洗浄ライン等における搬送ライン構築のために用いられるワイヤーコンベアを構成するための折曲線材、並びに、それを用いて構成したワイヤーコンベアに関するものである。
【背景技術】
【０００２】
上記ワイヤーコンベアは、一般にステンレス製の線材を折曲した折曲線材を連結していくことにより構成される。その折曲線材は、線材を下向き縦方向、横方向、上向き縦方向、横方向の順に折曲して成るやや裾広がりの凹陥部を横に何個か連設し、両端にフックを形成したものである。この折曲線材は、その凹陥部を別の折曲線材の凹陥部に嵌め付けることにより多数連結され、以てワイヤーコンベアが構成される。このワイヤーコンベアは一般に、各折曲線材を直接駆動スプロケットに掛回すことにより循環駆動され、各折曲線材は、それに連結されている後続の折曲線材を引張る関係となる
【０００３】
このワイヤーコンベアは、各種工場において生産、加工、洗浄等のラインに広く利用されている。そして、その一般的使用形態が、上に加工品を載せて搬送することであることは言うまでもないが、例えば、除水のために加工品に上下方向又は横方向からエアを吹き付けるような場合は、搬送手段としての主ワイヤーコンベア２１の上側に、加工品２０揺動、翻転を押さえるための押さえ用の補助ワイヤーコンベア２２が配備される（図４参照）。また同様に、フライヤー２３内でフライ物を搬送しつつ油揚げする際にも、搬送用の主ワイヤーコンベア２１の上側に、フライ物の動きを抑制するための押さえ用ワイヤーコンベア２２が配設される（図５参照）。
【０００４】
これらの場合、上側の補助ワイヤーコンベア２２は、加工品を傷付けないように軽く押さえるために弛み気味に張られ、下側の主ワイヤーコンベア２１に軽く接触する状態にされ、主ワイヤーコンベア２１との間に速度差がある。そのため、上側の補助ワイヤーコンベア２２の両端部のフックが下側の主ワイヤーコンベア２１に引っ掛かかることによる故障が起こりやすい、という問題がある。このフックの引掛りは、特に、上側の補助ワイヤーコンベア２２の下側のワイヤーコンベア２１からの離れ際２４において起こりやすい。
【０００５】
また、加工品の搬送路を長くする場合は、複数のワイヤーコンベア２５、２６を連設し、加工品２０が、下流側のワイヤーコンベア２５から上流側のワイヤーコンベア２６に乗り移れるようにする（図６参照）。しかるに、ワイヤーコンベア２５、２６は搬送路においては平坦な状態にあるが、端部ローラー２７に沿って巡回する際には、その平坦性を失って線材がはみ出る傾向にあるため、一方の側のワイヤーコンベアのフックが他方の側のワイヤーコンベアに引っ掛かるおそれが生ずる。殊に、加工品２０がワイヤーコンベア２５、２６間の隙間２８に落ちることを防止すべく、該隙間を２８を小さくするために端部ローラーを小径とする場合にそのおそれが増し、故障が誘発されやすくなる。
【先行技術文献】
【特許文献】
【０００６】
【特許文献１】特許第２７８７２６７号公報
【特許文献２】特許第３８９３０６３号公報
【特許文献３】特許第４３８４９６６号公報
【発明の概要】
【発明が解決しようとする課題】
【０００７】
上述したように、従来のワイヤーコンベアにおいては、上側に押さえ用の補助ワイヤーコンベアを配して使用する場合や、複数のワイヤーコンベアを連設して使用する場合において、一方のワイヤーコンベアのフックが他方のワイヤーコンベアに引っ掛かり、故障の原因となることが少なくなかった。
【０００８】
そこで、本発明はそのような問題のない、即ち、上側に押さえ用の補助ワイヤーコンベアを配して使用する場合や、複数のワイヤーコンベアを連設して使用する場合において、一方のワイヤーコンベアの線材両端部のフックが他方のワイヤーコンベアに引っ掛かって故障が誘発されるおそれのない、ワイヤーコンベアを構成するための折曲線材及びそれを用いて構成したワイヤーコンベアを提供することを課題とする。
【課題を解決するための手段】
【０００９】
上記課題を解決するための請求項１に係る発明は、ワイヤーコンベアを構成するための金属製線材製折曲線材であって、一仮想平面上において下向き縦方向の短尺縦辺、横方向の長尺横辺及び上向き縦方向の短尺縦辺から成る裾広がりの凹陥部を適宜数備え、両端に位置する前記凹陥部を形成する前記長尺横辺の端部は、前記仮想平面から１０〜４５度の範囲で湾折曲して立ち上げられており、前記立ち上げられた前記長尺横辺の端部に続く前記上向き縦方向の短尺縦辺の端部にフックを備えて成り、前記凹陥部が他の折曲線材の前記凹陥部に嵌め込まれることによって前記他の折曲線材と連結可能であるワイヤーコンベア構成用折曲線材である。
【００１０】
上記課題を解決するための請求項２に係る発明は、上記構成のワイヤーコンベア構成用折曲線材を連結して構成したワイヤーコンベアである。このワイヤーコンベアは、主ワイヤーコンベアの上側に配置されて前記主ワイヤーコンベア上の搬送物を押える補助ワイヤーコンベアとすることができる。
【発明の効果】
【００１１】
本発明に係るワイヤーコンベア構成用折曲線材は、上述したように両端部が若干上向きに湾折曲されているため、この折曲線材を用いて構成されたワイヤーコンベアは、進行方向両縁部が上がった、あるいは、下がったものとなる。
【００１２】
従って、例えば、全体が平坦な搬送面の主ワイヤーコンベアの上側に配設される加工品押さえ用の補助ワイヤーコンベアを、本折曲線材を用いて、下側循環時において進行方向両縁部が上がるように構成すれば、その両縁部が下側の主ワイヤーコンベアの平坦な搬送面から離れることになり、補助ワイヤーコンベアの主ワイヤーコンベアからの離隔時において、その両側のフックが主ワイヤーコンベアに引っ掛かるおそれが皆無となり、以て、フックの引掛りに起因する故障の発生が確実に防止される効果がある。
【００１３】
また、搬送路の長尺化のためにワイヤーコンベアが連設される場合において、上流側と下流側のワイヤーコンベアのうちの少なくとも一方を、本折曲線材を用いて搬送面の両縁部が下がるように構成すれば、上流側のワイヤーコンベアと下流側のワイヤーコンベアの対向部において各縁部同士が離隔し、互いに干渉することがなくなるため、やはり、一方のワイヤーコンベアのフックが他方のワイヤーコンベアに引っ掛かることに起因する故障の発生が確実に防止される効果がある。
【図面の簡単な説明】
【００１４】
【図１】本発明に係る折曲線材の端部の構成を示す斜視図である。
【図２】本発明に係る折曲線材の端部の構成を示す正面図である。
【図３】本発明に係る折曲線材の連結方法を示す平面図である。
【図４】従来の折曲線材で構成したワイヤーコンベアの問題点を説明するための図である。
【図５】従来の折曲線材で構成したワイヤーコンベアの問題点を説明するための図である。
【図６】従来の折曲線材で構成したワイヤーコンベアの他の問題点を説明するための図である。
【発明を実施するための形態】
【００１５】
本発明を実施するための形態につき、添付図面を参照しつつ説明する。図中１、２は本発明に係る折曲線材で、ステンレス、鉄等の線状原材を折曲して形成される。その線径は、搬送物の重量、大きさに応じ、通例０．９〜６ｍｍの範囲で選定される。
【００１６】
線状原材の折曲は、基本的には従来の折曲線材の場合と同様にして行われる。即ち、先ず線状原材で形成される長尺横辺７を、図３に示されるように、一仮想平面上において下向き縦方向に折曲して短尺縦辺６を形成し、次いで横方向（水平方向）に折曲して長尺横辺５を形成し、続いて上向き縦方向に折曲して短尺縦辺４を形成し、更に横方向（水平方向）に折曲して長尺横辺７を形成していく方法で、両側の短尺縦辺４、６とその間の長尺横辺５とで構成される裾広がりの凹陥部８を、長尺横辺７を介して適宜数連設する。そして、両端に位置する凹陥部８を形成する短尺縦辺４、６の端部を延長してフック９を形成して完成となる。
【００１７】
しかるに、本発明に係る折曲線材１、２においては、上記加工工程の他に更に、両端部の長尺横辺５の外端部を、上記仮想平面から１０〜４５度の範囲で湾折曲して立ち上げ、湾折曲部１０を設ける工程が加わる。図２には、湾折曲部１０として折曲して形成したものが示されているが、湾曲させて形成することもある。なお、以上の説明は、必ずしも折曲加工の工程順を示すものではなく、例えば、最初にフック９を形成する等、任意の順にて折曲加工し得ることは言うまでもない。
【００１８】
この折曲線材１、２を用いてのワイヤーコンベアの構成は、従来の場合と同様に、折曲線材１の凹陥部８を他の折曲線材２の凹陥部８に嵌め込むことによって行うが、この折曲線材１、２を用いて構成したワイヤーコンベアの場合は、進行方向両縁部が角度α分上がった、あるいは、下がったものとなる（図２参照）。
【００１９】
従って、例えば、全体が平坦な搬送面の主ワイヤーコンベアの上側に配設される加工品押さえ用の補助ワイヤーコンベア（図４、５参照）を、本折曲線材１、２を用いて構成したものとすることで、下側の主ワイヤーコンベアに当接ないし近接するその下側循環時において、進行方向両縁部が上がるように構成すれば、その両縁部が下側の主ワイヤーコンベアの平坦な搬送面から角度α分離れることになる（図２参照）。従って、補助ワイヤーコンベアのフックが主ワイヤーコンベアに引っ掛かることがなくなる。
【００２０】
また、搬送路の長尺化のためにワイヤーコンベアを連結する場合（図６参照）、上流側と下流側のワイヤーコンベアのうちの少なくとも一方を本折曲線材１、２を用いて構成し、搬送面の両縁部が下がるように構成すれば、上流側のワイヤーコンベアと下流側のワイヤーコンベアの対向部において各縁部同士が離隔することになるため、やはり、一方のワイヤーコンベアのフック９が他方のワイヤーコンベアに引っ掛かるおそれが皆無となり、フック９の引掛りに起因する故障の発生が確実に防止される。
【００２１】
この発明をある程度詳細にその最も好ましい実施形態について説明してきたが、この発明の精神と範囲に反することなしに広範に異なる実施形態を構成することができることは明白である。従って、この発明は、請求の範囲において限定した以外はその特定の実施形態に制約されるものではない。
【符号の説明】
【００２２】
１    折曲線材
２    折曲線材
４    短尺縦辺
５    長尺横辺
６    短尺縦辺
７    長尺横辺
８    凹陥部
９    フック
１０    湾折曲部
【図１】
0005881410.tif 000002
【図２】
0005881410.tif 000003
【図３】
0005881410.tif 000004
【図４】
0005881410.tif 000005
【図５】
0005881410.tif 000006
【図６】
0005881410.tif 000007